(57)【特許請求の範囲】
【請求項１】
光学部材と、
前記光学部材を介して被写体からの光を検出し、被写体像を生成する撮影手段と、
電源の作動に起因して熱を発するプリンタと、
前記プリンタから発っせられた熱を外部へ放出するための通風孔を開閉するとともに前記光学部材を被覆するための遮蔽手段と、
前記プリンタの電源および前記撮影手段の電源のＯＮ／ＯＦＦを切替えるための電源切替手段とを備え、
前記電源切替手段が前記撮影手段の電源および前記プリンタの電源をＯＮに切替えるのにともない、前記遮蔽手段が前記通風孔を開放して前記光学部材を出現させ、前記電源切替手段が前記撮影手段の電源をＯＮに切替えるとともに前記プリンタの電源をＯＦＦに切替えるのにともない、前記遮蔽手段が前記通風孔を閉鎖して前記光学部材を出現させ、前記電源切替手段が前記撮影手段の電源および前記プリンタの電源をＯＦＦに切替えるのにともない、前記遮蔽手段が前記通風孔を閉鎖して前記光学部材を被覆し、
前記電源切替手段が前記遮蔽手段としても機能することを特徴とする電子カメラ。
【請求項２】
前記遮蔽手段が前記通風孔を開放すると、前記プリンタの電源がＯＮに切替えられ、前記遮蔽手段が前記通風孔を閉鎖すると、前記プリンタの電源がＯＦＦに切替えられることを特徴とする請求項１に記載の電子カメラ。
【請求項３】
前記プリンタが昇華型のプリンタであることを特徴とする請求項１に記載の電子カメラ。
【請求項４】
前記電源切替手段がスライドスイッチであることを特徴とする請求項１に記載の電子カメラ。
【請求項５】
この電子カメラがデジタルカメラであることを特徴とする請求項１に記載の電子カメラ。
【請求項６】
前記遮蔽手段が、前記通風孔を開放して前記光学部材を出現させる第１の位置と、前記通風孔を閉鎖して前記光学部材を被覆する第２の位置との間で摺動することを特徴とする請求項１に記載の電子カメラ。
【請求項７】
前記遮蔽手段が、前記第１の位置と前記第２の位置との間にある第３の位置にあるときに、前記通風孔を閉鎖して前記光学部材を出現させることを特徴とする請求項６に記載の電子カメラ。
【請求項８】
前記光学部材が、撮影レンズを含むことを特徴とする請求項１に記載の電子カメラ。
【請求項９】
前記光学部材が、測光用のフィルタをさらに有することを特徴とする請求項８に記載の電子カメラ。
【発明の詳細な説明】
【０００１】
【発明の属する技術分野】
本発明は、例えば昇華型プリンタを有するデジタルカメラ等の電子カメラに関する。
【０００２】
【従来の技術】
従来デジタルカメラとして、プリンタを接続して、このプリンタにより撮影した画像を記録用紙に印刷するものが知られている。
【０００３】
【発明が解決しようとする課題】
このようなデジタルカメラでは、撮影した画像を印刷する際、プリンタを接続する必要があるため、印刷の操作が不便であり、また印刷を行う場合は常時、デジタルカメラとともにプリンタを携帯する必要があり、携帯性が悪かった。そこでデジタルカメラにプリンタを設けるものが考えられ、そのプリンタとして、撮影した画像、例えば人物画や風景画等を高解像度に印刷可能である昇華型プリンタが考えられる。しかしながら昇華型のプリンタはサーマルヘッドを有し、印刷時に熱を発生するために、プリンタの誤動作を防止する通風孔を、デジタルカメラに設ける必要がある。
【０００４】
一方デジタルカメラに通風孔を設けると、デジタルカメラの未使用時に埃等が通風孔からデジタルカメラ内部に入り込んでしまい、デジタルカメラの回路に悪影響を及ぼしてしまうという問題があった。
【０００５】
本発明は、通風孔を開閉するための遮蔽部材を設けることにより、例えば昇華型のプリンタを有するデジタルカメラ等の電子カメラを提供し、プリンタの発熱による誤動作と、未使用時の埃等の侵入を防止することを目的とする。
【０００６】
【課題を解決するための手段】
本発明に係る電子機器は、電源の作動に起因して生じる熱を、通風孔から外部へ放出可能な電子機器であって、電源のＯＮ／ＯＦＦを切替えるための電源切替手段と、通風孔を開閉するための遮蔽手段とを備え、電源切替手段が電源をＯＮに切替えるのにともない、遮蔽手段が通風孔を開放し、電源切替手段が前記電源をＯＦＦに切替えるのにともない、遮蔽手段が通風孔を閉鎖することを特徴としている。
【０００７】
好ましくは、電源切替手段は遮蔽手段としても機能し、電源切替手段が電源をＯＮに切替えると、通風孔が開放され、電源切替手段が電源をＯＦＦに切替えると、通風孔が閉鎖される。あるいは好ましくは、遮蔽手段は電源切替手段としても機能し、遮蔽手段が通風孔を開放すると、電源がＯＮに切替えられ、遮蔽手段が前記通風孔を閉鎖すると、電源がＯＦＦに切替えられる。
【０００８】
本発明に係る電子カメラは、電源の作動に起因して熱を発するプリンタと、プリンタから発っせられた熱を外部へ放出するための通風孔を、開閉するための遮蔽手段とを備えることを特徴としている。
【０００９】
好ましくは、電源のＯＮ／ＯＦＦを切替えるための電源切替手段が設けられ、電源切替手段が電源をＯＮに切替えるのにともない、遮蔽手段が通風孔を開放し、電源切替手段が電源をＯＦＦに切替えるのにともない、遮蔽手段が通風孔を閉鎖する。この場合好ましくは、電源切替手段が遮蔽手段としても機能し、電源切替手段が電源をＯＮに切替えると、通風孔が開放され、電源切替手段が電源をＯＦＦに切替えると、通風孔が閉鎖される。あるいは好ましくは、遮蔽手段が電源切替手段としても機能し、遮蔽手段が通風孔を開放すると、電源がＯＮに切替えられ、遮蔽手段が通風孔を閉鎖すると、電源がＯＦＦに切替えられる。
【００１０】
例えばプリンタは昇華型のプリンタである。また電源切替手段はスライドスイッチである。特にこの電子カメラがデジタルカメラである。
【００１１】
【発明の実施の形態】
以下、比較例を図面を参照して説明する。
図１は、比較例であるデジタルカメラを示す斜視図であって、内蔵プリンタの電源がＯＦＦに切替えられた状態であるときの図である。図２は比較例であるデジタルカメラを示す斜視図であって、内蔵プリンタの電源がＯＮに切替えられた状態であるときの図である。
【００１２】
電子カメラ１０は、例えば昇華型のプリンタを内蔵したデジタルカメラである。このデジタルカメラ１０は、撮影した画像を図示しない内蔵メモリに記録可能であり、内蔵プリンタにより記録された画像を印刷可能である。
【００１３】
デジタルカメラ１０の上面１０ａには、撮影した画像（撮影画像）を記録するための押ボタン５１が設けられ、動作モード等を表示するための液晶ディスプレイ（ＬＣＤ）１４が設けられる。ＬＣＤ１４の近傍には、記録された画像等を選択するための選択ボタン５２と、撮影、印刷等の動作モードを切替えるためのモード切替ボタン５３とが配設される。
【００１４】
デジタルカメラ１０の上面１０ａには、矢印Ａ方向に回動可能なカバー１１がヒンジ部１０ｄに支持される。このカバー１１は上面１０ａに形成される凹部１０ｃに収納可能であり、撮影画像を印刷する際、カバー１１は図２に示すように凹部１０ｃから離間した状態で印刷用紙２０を保持する。凹部１０ｃには、印刷用紙２０を挿入するための挿入口１２が形成され、上面１０ａには、印刷用紙２０を排出するための排出口１３が形成され、挿入口１２から挿入された印刷用紙２０は画像を印刷されて、排出口１３から排出される。
【００１５】
デジタルカメラ１０の側面１０ｅには、内蔵プリンタを駆動するためのプリンタ電源スイッチ５５が設けられる。このプリンタ電源スイッチ５５はスライドスイッチであり、通風孔７０を開閉するための遮蔽部材としても機能する。図２に示すように内蔵プリンタの作動時、すなわちプリンタ電源スイッチ５５がＯＮ（図中左下側）に切替えられているとき、このプリンタ電源スイッチ５５により通風孔７０が開放される。これに対し図１に示すようにプリンタの非作動時、すなわちプリンタ電源スイッチ５５がＯＦＦ（図中右上側）に切替えられているとき、このプリンタ電源スイッチ５５により通風孔７０が閉鎖される。
【００１６】
デジタルカメラ１０の内部には、後述する冷却ファンが通風孔７０の近傍に設けられ、挿入口１２と排出口１３に対応する位置には、内蔵プリンタを構成する電気回路（図示せず）が設けられる。内蔵プリンタの電気回路と後述するサーマルヘッド等が作動時に熱を発生する。この熱によりデジタルカメラ１０の回路が誤動作するのを防止するため、内蔵プリンタの電気回路が通風孔７０の近傍に設けられ、電気回路およびサーマルヘッド等から発生する熱が冷却ファンにより通風孔７０からデジタルカメラ１０の外部へ放出される。なお冷却ファンは設けなくてもよい。
【００１７】
デジタルカメラ１０の側面１０ｂには、デジタルカメラ１０をカメラとして駆動するためのカメラ電源スイッチ５６と、撮影レンズ１８とが設けられ、撮影レンズ１８の近傍にはストロボ１９が設けられる。
【００１８】
図１から図３を参照してデジタルカメラ１０の電気的構成および動作モードについて説明する。図３はデジタルカメラ１０を示すブロック図である。このデジタルカメラ１０はＣＰＵ４０により制御される。操作部５０には図１に示す押ボタン５１、選択ボタン５２、モード切替ボタン５３が設けられ、これらのボタン５１、５２、５３によりデジタルカメラ１０の動作が選択される。
【００１９】
デジタルカメラ１０には、バッテリ４６が設けられ、バッテリ４６にはＤＣ／ＤＣコンバータ４５を介して、カメラ電源スイッチ５６およびプリンタ電源スイッチ５５が接続される。
【００２０】
バッテリ４６の電圧はＤＣ／ＤＣコンバータ４５により安定化され、カメラ電源スイッチ５６をＯＮに切替えることによりプリンタ部６０を除いた各回路に印加される。同様にＤＣ／ＤＣコンバータ４５により安定化された電圧は、図２に示すようにプリンタ電源スイッチ５５をＯＮに切替えることによりカメラ部３９を除いた各回路に印加される。
【００２１】
ＬＣＤ駆動回路４８の制御により、ＬＣＤ１４には動作モードを示す文字が表示され、モード切替ボタン５３により動作モードが切替えられると、動作モードに対応した表示が行われる。
【００２２】
先ずデジタルカメラ１０をカメラとして使用する場合について説明する。カメラ電源スイッチ５６がＯＮに切替えられ、操作部５０のモード切替ボタン５３が撮影モードに切替えられ、押ボタン５１が押下されると、エリアセンサ３０がセンサ駆動回路３３により駆動され、被写体像が撮影される。
【００２３】
被写体からの光がレンズ１８を介してエリアセンサ３０により検出されて、被写体像に対応する電気的な画像信号に変換される。この画像信号はアンプ３１により増幅されて、Ａ／Ｄ変換器３２によりアナログ信号からデジタル信号に変換される。デジタル画像信号は画像処理回路（ＤＳＰ）４１においてシェーディング補正、補間処理等の処理を施され、メモリコントローラ４２により内蔵メモリ４４に格納される。
【００２４】
次にデジタルカメラ１０の内蔵プリンタを使用する場合について説明する。プリンタ部６０は、昇華型プリンタである。このプリンタでは、モータ駆動回路２２によりモータＭａ２１が回動せしめられ、印刷用紙が間欠的に搬送される。これにともないサーマルヘッド６４を所定の温度で発熱させることによりインクが印刷用紙２０に発色され、画像が印刷される。
【００２５】
印刷を行う際、操作者により図２に示すようにカバー１１が凹部１０ｃから離間せしめられ、印刷用紙２０が挿入口１２に挿入される。
【００２６】
プリンタ電源スイッチ５５が図２に示すようにＯＮに切替えられると、通風孔７０が開放され、モータ駆動回路７３の制御によりモータＭｂが回動して、冷却ファン７１が作動する。これにより主にサーマルヘッド６４の作動により発生する熱が通風孔７０から外部へ放出される。
【００２７】
操作部５０のモード切替ボタン５３が印刷モードに切替えられると、ＬＣＤ１４には、内蔵メモリ４４に記録された画像に対応する番号（画像番号）が表示される。操作者は選択ボタン５２を押下することにより画像番号を選択し、記録ボタン５１を押下する。これにより選択された画像番号の画像（選択画像）が印刷される。
【００２８】
選択画像に対応するデジタルの画像信号が内蔵メモリ４４から読み出される。このデジタル画像信号はプリンタＤＳＰ６１において、インクの色に対応する色成分のデジタル画像信号に変換され、ガンマ補正等の処理を施されて、さらに温度センサ６５により検出されたサーマルヘッド６４の周辺温度に基づいて、温度補正を施される。この処理を施された信号に基づくサーマルヘッド駆動回路６２によりサーマルヘッドがパルス制御され、発熱せしめられる。これにより印刷用紙２０に選択画像が印刷される。
【００２９】
印刷が終了すると、プリンタ電源スイッチ５５が図１に示すようにＯＦＦに切替えられる。これにより通風孔７０が閉鎖されて、携帯時に埃等がデジタルカメラ１０の内部へ侵入することが防止される。
【００３０】
なおデジタルカメラ１０はコンピュータ等の外部装置に接続可能である。ＣＰＵ４０の指令に応じて、内蔵メモリ４４からデジタルの画像信号が読み出され、外部インターフェースを介して、外部装置へと出力される。
【００３１】
以上のように比較例によれば、デジタルカメラ１０には内蔵プリンタが設けられるため、この内蔵プリンタにより内蔵メモリ４４に記録された画像が印刷可能であり、外部装置であるプリンタを接続する必要がなく、印刷操作が簡便であり、携帯性も向上する。また内蔵プリンタによって発生する熱を外部へ放出するための通風孔７０が設けられ、この通風孔７０がプリンタ電源スイッチ５５のＯＮ／ＯＦＦの切替にともない開閉する。これによりプリンタ電源スイッチ５５がＯＮに切替えられているとき、すなわち内蔵プリンタが作動しているとき、通風孔７０は開放され、冷却ファン７１が駆動し、内蔵プリンタにより発生する熱がデジタルカメラ１０の外部に放出され、内蔵プリンタの熱によるデジタルカメラ１０の誤動作が防止される。またデジタルカメラ１０の未使用時には、プリンタ電源スイッチ５５はＯＦＦに切替えられており、通風孔７０が閉鎖されているため、埃等が通風孔７０からデジタルカメラ１０の内部に侵入するのが防止される。
【００３２】
さらにプリンタ電源スイッチ５５が通風孔７０を開閉するための遮蔽部材となっているため、内蔵プリンタが作動しているとき、必ず通風孔７０が開放され、内蔵プリンタが非作動状態のときは、必ず通風孔７０が閉鎖される。したがって内蔵プリンタ作動時に通風孔７０を開放し忘れたり、デジタルカメラ１０の携帯時に通風孔７０を閉鎖し忘れたりすることが防止される。なお比較例において、プリンタ電源スイッチ５５がＯＮに切替えられ、内蔵プリンタが作動すると、デジタルカメラ１０の動作モードが自動的に印刷モードに切替えられる構成としてもよい。
【００３３】
図４から図７を参照して本実施形態について説明する。図４は本実施形態のデジタルカメラ１００を示す斜視図であって、デジタルカメラ１００の電源がＯＦＦに切替えられた状態であるときの図である。図５は本実施形態のデジタルカメラ１００を示す斜視図であって、デジタルカメラ１００の電源がＯＮに切替えられた状態にあるときの図である。図６は本実施形態のデジタルカメラ１００を示す斜視図であって、内蔵プリンタの電源がＯＮに切替えられた状態にあるときの図である。図７は本実施形態のデジタルカメラ１００を示すブロック図である。
【００３４】
本実施形態が比較例と異なる点は、通風孔１７０を開閉するための遮蔽部材の構成が異なる点である。比較例では内蔵プリンタの電源スイッチ５５が通風孔７０を開閉するための遮蔽部材となっており、一方本実施形態では、通風孔１７０を開閉するための遮蔽部材１５５がデジタルカメラ１００の電源スイッチと内蔵プリンタの電源スイッチとなっている。その他の点は同様であるので、以下異なる点についてのみ説明する。
【００３５】
デジタルカメラ１００は、プリンタを内蔵している。デジタルカメラ１００の上面１００ａには、撮影した画像を記録するための押ボタン１５１、動作モード等を表示するための液晶ディスプレイ（ＬＣＤ）１１４、記録された画像等を選択するための選択ボタン１５２、撮影、印刷等の動作モードを切替えるためのモード切替ボタン１５３とが設けられる。
【００３６】
デジタルカメラ１００の正面１００ｂには、撮影レンズ１１８を被覆するため、および通風孔１７０を開閉するための遮蔽部材１５５が設けられる。この遮蔽部材１５５は矢印Ｂ方向に２段階で摺動可能であって、デジタルカメラ１００と内蔵プリンタのＯＮ／ＯＦＦを切替えるための電源スイッチである。
【００３７】
遮蔽部材１５５を図４に示す状態から１段階摺動させると、図５に示すように撮影レンズ１１８と測光用のフィルタ１１７が出現して、デジタルカメラ１００が駆動され、図７に示すプリンタ部６０を除いた回路が電圧を印加される。これによりデジタルカメラ１００はカメラとして使用可能となる。
【００３８】
遮蔽部材１５５を図５に示す状態からさらに１段階摺動させると、図６に示すように通風孔１７０が開放されて、内蔵プリンタが駆動される。すなわち図７に示すプリンタ部６０の各回路が電圧を印加され駆動される。したがって内蔵プリンタの作動中、内蔵プリンタが発生する熱は通風孔１７０からデジタルカメラ１００の外部へ放出される。
【００３９】
遮蔽部材１５５を図６に示す状態から図５に示す状態に摺動させると、通風孔１７０が閉鎖されて、図７に示すプリンタ部６０の回路のみが電圧印加を終了せしめられ、内蔵プリンタがＯＦＦされる。
【００４０】
遮蔽部材１５５を図５に示す状態から図４に示す状態に摺動させると、撮影レンズ１１８およびフィルタ１１７が被覆され、図７に示すプリンタ部６０を除いた回路が電圧印加を終了せしめられ、デジタルカメラ１００は非作動状態になる。
【００４１】
以上のように本実施形態によれば、比較例と同様にデジタルカメラ１００には内蔵プリンタが設けられるため、操作が簡便になり、携帯性も向上する。また内蔵プリンタによって発生する熱を外部へ放出するための通風孔１７０が設けられ、この通風孔１７０を開閉するための遮蔽部材１５５が設けられる。この遮蔽部材１５５の開閉によりデジタルカメラ１００と、内蔵プリンタが駆動状態すなわちＯＮ／ＯＦＦを切替えられる。したがって遮蔽部材１５５により通風孔１７０が開放されると、内蔵プリンタが作動し、内蔵プリンタにより発生する熱はデジタルカメラ１００の外部に通風孔１７０から放出され、内蔵プリンタの熱によるデジタルカメラ１００の誤動作が防止される。またデジタルカメラ１００の未使用時には、内蔵プリンタが非作動状態にあるため、遮蔽部材１５５により通風孔１７０が閉鎖されており、埃等が通風孔１７０からデジタルカメラ１００の内部に侵入するのが防止される。
【００４２】
さらに通風孔１７０を開閉するための遮蔽部材１５５が内蔵プリンタのＯＮ／ＯＦＦを切替えるため電源スイッチになっているため、内蔵プリンタが作動しているとき、必ず通風孔１７０が開放され、内蔵プリンタが非作動状態のときは、必ず通風孔７０が閉鎖される。したがって比較例と同様に内蔵プリンタ作動時に通風孔１７０を開放し忘れたり、デジタルカメラ１００の携帯時に通風孔１７０を閉鎖し忘れたりすることが防止される。
【００４３】
【発明の効果】
以上のように本発明によれば、通風孔を開閉するための遮蔽部材を設けることにより、例えば昇華型のプリンタを有するデジタルカメラ等の電子カメラが提供され、プリンタの発熱による誤動作と、未使用時の埃等の侵入が防止される。
【図面の簡単な説明】
【図１】比較例のデジタルカメラを示す斜視図であって、内蔵プリンタの電源がＯＦＦに切替えられた状態であるときの図である。
【図２】比較例のデジタルカメラを示す斜視図であって、内蔵プリンタの電源がＯＮに切替えられた状態であるときの図である。
【図３】比較例のデジタルカメラを示すブロック図である。
【図４】本実施形態であるデジタルカメラを示す斜視図であって、デジタルカメラの電源がＯＦＦに切替えられた状態であるときの図である。
【図５】本実施形態であるデジタルカメラを示す斜視図であって、デジタルカメラの電源がＯＮに切替えられた状態であるときの図である。
【図６】本実施形態であるデジタルカメラを示す斜視図であって、内蔵プリンタの電源がＯＦＦに切替えられた状態であるときの図である。
【図７】本実施形態であるデジタルカメラを示すブロック図である。
【図１】
0004136082.tif 000002
【図２】
0004136082.tif 000003
【図３】
0004136082.tif 000004
【図４】
0004136082.tif 000005
【図５】
0004136082.tif 000006
【図６】
0004136082.tif 000007
【図７】
0004136082.tif 000008